(57)【要約】【課題】蓋体を通して見える化粧料の表面模様が、規則的に変化して見える、斬新な化粧料容器を提供する。【解決手段】凹部１６内に化粧料１８が収容された容器本体１０と、上記容器本体１０に収容された化粧料１８の上面に対し隙間をあけた状態でこの容器本体１０の上面を蓋する蓋体１１とを備え、上記蓋体１１に、白色ライン１５と透明な部分とが交互に並ぶ筋模様Ｐが付与されているとともに、上記化粧料１８の上面に、特定の水玉模様２１が付与されており、上記蓋体１１を閉じた状態で、上記筋模様Ｐに対する目線の角度を変えることにより、上記筋模様Ｐを透かして見える水玉模様２１が、規則的に変化して見える化粧料容器である。【選択図】図２
2015119943.tif 000002
【特許請求の範囲】
【請求項１】
上面凹部内に化粧料が収容された容器本体と、上記容器本体に収容された化粧料の上面に対し隙間をあけた状態でこの容器本体の上面を蓋する蓋体とを備え、上記蓋体に、不透明部分に対し透明部分が断続的に並ぶ透かし模様が付与されているとともに、上記容器本体に収容された化粧料の上面、もしくはこの上面に載置される透明保護シートの上面に、特定の模様が付与されており、上記蓋体を閉じた状態で、上記透かし模様に対する目線の角度を変えることにより、上記透かし模様を通して見える模様が、規則的に変化して見えるようになっていることを特徴とする化粧料容器。
【請求項２】
上記透かし模様を通して見える模様が、錯視により動きながら変化して見えるようになっている請求項１記載の化粧料容器。
【請求項３】
上記蓋体に付与された透かし模様が、不透明な線分と透明な線分とが交互に並ぶ筋模様によって構成されている請求項１または２記載の化粧料容器。
【請求項４】
上記筋模様が、化粧料容器の左右方向もしくは前後方向に対して傾斜したものである請求項３記載の化粧料容器。
【請求項５】
上記蓋体に付与された透かし模様が、蓋体の透明な領域に不透明な点状部が規則的に並ぶか、蓋体の不透明な領域に透明な点状部が規則的に並ぶ点々模様である請求項１または２記載の化粧料容器。
【請求項６】
上記化粧料の上面、もしくはこの上面に載置される透明保護シートの上面に付与される模様が、蓋体上方から透かし模様を見る際の目線の角度を段階的にｎ通りに変化させたときにその透かし模様を通して見えるｎ通りの模様パターンを同一面に重ねた模様であって、各模様パターンが、これを順次見ることによって、その模様部分が変化するよう関連付けられたものである請求項１〜５のいずれか一項に記載の化粧料容器。
【請求項７】
上記蓋体上方から透かし模様を見る際の目線が、透かし模様に対し最大１０〜９０°の角度で変化するよう想定されており、この角度変化の間に、その透かし模様を通して見える模様が、２〜１０種類の模様パターンによって変化を生じるよう設定されている請求項１〜６のいずれか一項に記載の化粧料容器。
【請求項８】
上記蓋体の透かし模様が形成された面と、容器本体に収容された化粧料の上面、もしくはこの上面に載置される透明保護シートの上面との垂直距離が、０．１〜２０．０ｍｍに設定されている請求項１〜７のいずれか一項に記載の化粧料容器。
【請求項９】
上記化粧料の上面もしくは透明保護シートの平面視形状が、縦３５〜７０ｍｍ×横３５〜１３０ｍｍの矩形状か、最大幅が３５〜８０ｍｍの多角形状、円形状、楕円形状のいずれかである請求項１〜８のいずれか一項に記載の化粧料容器。
【請求項１０】
上記化粧料容器が、容器本体の上面に対してスライド自在に取り付けられた蓋体によって開閉されるようになっており、上記蓋体を容器本体の上面からスライドさせることにより、上記蓋体の透かし模様から見える化粧料の上面、もしくはこの上面に載置される透明保護シートの上面に付与された特定の模様が、規則的に変化して見えるようになっている請求項１〜９のいずれか一項に記載の化粧料容器。
【発明の詳細な説明】
【技術分野】
【０００１】
本発明は、見る角度によって表面模様が変化するように見える、斬新な化粧料容器に関するものである。
【背景技術】
【０００２】
従来、樹脂成形体や樹脂シート等において、見る角度によって模様や色彩が変化する特殊な装飾を施したものが各種提案されている。例えば、アクリル樹脂等の透明性シートの片面に所定のピッチで繰り返された第１の模様を有する第１パターン部を設け、反対側の面に、上記第１の模様と相似形状の第２の模様により形成されたモアレ模様を有する第２のパターン部を設け、片面から見た場合の目線の動きによって、第１の模様と第２の模様との重なり方がずれて、モアレ模様に奥行きと立体感が生じるようにしたものが提案されている（特許文献１を参照）。
【０００３】
また、上記と同様の構成の透明性シートの上に、文字や模様を一面から彫ったガラス板を、その彫り込みのない方の面を上にして重ねることにより、立体感と高級感に優れた三次元プレートを得るようにしたものが提案されている（特許文献２を参照）。
【０００４】
さらに、シートの片面に、特定の配列で多数の凸レンズを設け、反対側の面に、特定の配列の模様単位を設けて、この模様単位に光学的影響を与えて、非常に変化に富む三次元モアレ模様を得るようにしたものも提案されている（特許文献３を参照）。
【先行技術文献】
【特許文献】
【０００５】
【特許文献１】特開平１１−１８９０００号公報
【特許文献２】特開２００５−２２３６０号公報
【特許文献３】国際公開第２００７／００７７９３号
【発明の概要】
【発明が解決しようとする課題】
【０００６】
しかしながら、これらの技術は、いずれも、透明なシートやプレートの片方の面に形成された模様を他方の面からみて三次元的に見えるよう工夫したものであり、その見え方の変化が、シートの厚みのずれを利用したものにすぎないため、緻密なモアレ模様に奥行きを与える等の変化でしかない。
【０００７】
ところで、最近、仕掛け絵本や仕掛けカードとして、絵本のページをめくったりカードを開いたりする動作に伴って絵があたかも動くように見えるもの（一般に「スキャニメーション」といわれている）が出回っており、人気を博している。
【０００８】
このようなスキャニメーションを利用した仕掛け絵本の一例を図１９（ａ）に示す。この絵本は、各ページ１が厚紙の袋状になっており、その表側の面は枠状に切り欠かれ、その開口部に、黒い縦縞模様２が印刷された透明シート３が設けられている。そして、その内側に、図１９（ｄ）に示すような、上記黒い縦縞模様２と同じピッチの黒い縦縞模様からなる円形模様４と星形模様５とが、互いに半ピッチずつずれて相手の縞と縞の間に入り込んだ、特殊な模様Ｒが印刷された厚紙シート６が差し込まれている。
【０００９】
そして、この厚紙シート６は、ページ１をめくる際に、向かって左側に、数ピッチ分だけずれるように袋状の各ページ１の内側に取り付けられている。したがって、黒い縦縞模様２が星形模様５と重なった配置では、図１９（ｂ）に示すように、円形模様４が見え、半ピッチずれて黒い縦縞模様２が円形模様４と重なると、図１９（ｃ）に示すように、星形模様５が見える。ページ１をめくる動作に伴い、上記図形の変化が連続的に繰り返されるため、途切れた画像を補おうとする人間の錯視によって、あたかも円がはじけて星になったり星からまた丸く円にもどったりする変化が滑らかに動いて見えるのである。
【００１０】
そこで、このようなスキャニメーションを、樹脂成形体等の立体に応用して、斬新な容器や広告パネルとして用いることが期待されているが、動きを組み合わせる数が少ないと滑らかな動きにならず、逆に数が多いと見せない部分を隠すために縞模様の縞の幅が太くなって図柄が見にくくなるため、立体的な構成において、優れたスキャニメーション効果を発揮させることは容易でなく、そのようなものは未だ得られていないのが実情である。
【００１１】
本発明は、このような事情に鑑みなされたもので、滑らかな動きのスキャニメーションを見せることのできる、斬新な化粧料容器の提供をその目的とする。
【課題を解決するための手段】
【００１２】
上記の目的を達成するため、本発明は、上面凹部内に化粧料が収容された容器本体と、上記容器本体に収容された化粧料の上面に対し隙間をあけた状態でこの容器本体の上面を蓋する蓋体とを備え、上記蓋体に、不透明部分に対し透明部分が断続的に並ぶ透かし模様が付与されているとともに、上記容器本体に収容された化粧料の上面、もしくはこの上面に載置される透明保護シートの上面に、特定の模様が付与されており、上記蓋体を閉じた状態で、上記透かし模様に対する目線の角度を変えることにより、上記透かし模様を通して見える模様が、規則的に変化して見えるようになっている化粧料容器を第１の要旨とする。
【００１３】
また、本発明は、そのなかでも、特に、上記透かし模様を通して見える模様が、錯視により動きながら変化して見えるようになっている化粧料容器を第２の要旨とし、上記蓋体に付与された透かし模様が、不透明な線分と透明な線分とが交互に並ぶ筋模様によって構成されている化粧料容器を第３の要旨とし、なかでも、特に、上記筋模様が、化粧料容器の左右方向もしくは前後方向に対して傾斜したものである化粧料容器を第４の要旨とする。
【００１４】
さらに、本発明は、そのなかでも、特に、上記蓋体に付与された透かし模様が、蓋体の透明な領域に不透明な点状部が規則的に並ぶか、蓋体の不透明な領域に透明な点状部が規則的に並ぶ点々模様である化粧料容器を第５の要旨とし、上記化粧料の上面、もしくはこの上面に載置される透明保護シートの上面に付与される模様が、蓋体上方から透かし模様を見る際の目線の角度を段階的にｎ通りに変化させたときにその透かし模様を通して見えるｎ通りの模様パターンを同一面に重ねた模様であって、各模様パターンが、これを順次見ることによって、その模様部分が変化するよう関連付けられたものである化粧料容器を第６の要旨とする。
【００１５】
そして、本発明は、それらのなかでも、特に、上記蓋体上方から透かし模様を見る際の目線が、透かし模様に対し最大１０〜９０°の角度で変化するよう想定されており、この角度変化の間に、その透かし模様を通して見える模様が、２〜１０種類の模様パターンによって変化を生じるよう設定されている化粧料容器を第７の要旨とし、上記蓋体の透かし模様が形成された面と、容器本体に収容された化粧料の上面、もしくはこの上面に載置される透明保護シートの上面との垂直距離が、０．１〜２０．０ｍｍに設定されている化粧料容器を第８の要旨とする。
【００１６】
また、本発明は、それらのなかでも、特に、上記化粧料の上面もしくは透明保護シートの平面視形状が、縦３５〜７０ｍｍ×横３５〜１３０ｍｍの矩形状か、最大幅が３５〜８０ｍｍの多角形状、円形状、楕円形状のいずれかである化粧料容器を第９の要旨とする。
【００１７】
さらに、本発明は、それらのなかでも、特に、上記化粧料容器が、容器本体の上面に対してスライド自在に取り付けられた蓋体によって開閉されるようになっており、上記蓋体を容器本体の上面からスライドさせることにより、上記蓋体の透かし模様から見える化粧料の上面、もしくはこの上面に載置される透明保護シートの上面に付与された特定の模様が、規則的に変化して見えるようになっている化粧料容器を第１０の要旨とする。
【発明の効果】
【００１８】
すなわち、本発明の化粧料容器は、スキャニメーションの原理を、立体的な化粧料容器に適用したものであり、仕掛け絵本のように、縞模様部分に重ねた模様部分をスライドさせるのではなく、化粧料容器の蓋体に、不透明な部分と透明な部分とが断続的に並ぶ筋模様等の透かし模様を付与し、容器本体に収容された化粧料の上面、もしくはこの上面に載置される透明保護シートの上面に特定の模様を付与して、蓋体の透かし模様を通して、容器内側の模様が規則的に変化し、場合によってはあたかも動くように変化するのを見せるようにしたものである。
【００１９】
この構成によれば、化粧料容器を手にとって、蓋体の透かし模様を通して、容器内側の模様を見る目線の角度を変えるだけで、容器内側の模様が変化するのを見ることができるため、店頭において、従来にない、強いインパクトを顧客に与えることができる。また、上記化粧料容器を複数個、その筋模様の並ぶ方向と化粧料容器の並ぶ方向とが一致する配置で通路沿いに並べて陳列しておけば、そばを通る顧客が、化粧料容器に対する目線の角度をつぎつぎと変えながら化粧料容器を見ることになるため、陳列された化粧料容器の模様がつぎつぎと変化するように見えて、高いアイキャッチ効果を奏する。
【００２０】
しかも、スキャニメーション効果もしくはそれに準ずる視覚的な効果が得られる特定の模様を、容器本体に収容された化粧料の上面か、その上面に載置される透明保護シートの上面に付与するようになっているため、容器の蓋体や容器本体を量産しておき、最終工程において、容器本体に収容する化粧料の表面に特定の模様を付与するか、別工程で用意された特定の模様付き透明保護シートを化粧料上面に載置するだけで、簡単に、スキャニメーション効果等の視覚的な効果を奏する様々なデザインの化粧料容器を提供することができる。したがって、顧客ニーズに応じたデザインの化粧料容器を、低コストで、短期間で納品することができるという利点を有する。
【００２１】
そして、本発明のなかでも、特に、上記透かし模様を通して見える模様が、錯視により動きながら変化して見えるようになっている化粧料容器は、スキャニメーション効果そのものを得ることができるため、非常にアイキャッチ効果の高いものとなり、好適である。
【００２２】
また、本発明のなかでも、特に、上記蓋体に付与された透かし模様が、不透明な線分と透明な線分とが交互に並ぶ筋模様によって構成されているものは、筋模様のピッチを細かくすることによって、複雑な模様の変化を見せることができ、好適である。
【００２３】
さらに、上記筋模様が、化粧料容器の左右方向もしくは前後方向に対して傾斜したものである場合には、変化する模様の動きが、筋模様が傾斜していない場合に比べてゆっくりした動きとなり、微妙な変化が捉えやすくなるため、より複雑な変化を見せることができ、一層興趣に富むものとなる。
【００２４】
また、本発明のなかでも、特に、上記蓋体に付与された透かし模様が、蓋体の透明な領域に不透明な点状部が規則的に並ぶか、蓋体の不透明な領域に透明な点状部が規則的に並ぶ点々模様である場合には、目線の微妙なずれによって、容器内側の模様の一部が消失したり現出したりする変化を演出しやすいため、筋模様による変化とはまた違う印象の変化を見せることができる。
【００２５】
そして、本発明のなかでも、特に、上記化粧料の上面、もしくはこの上面に載置される透明保護シートの上面に付与される模様が、蓋体上方から透かし模様を見る際の目線の角度を段階的にｎ通りに変化させたときにその透かし模様を通して見えるｎ通りの模様パターンを同一面に重ねた模様であって、各模様パターンが、これを順次見ることによって、その模様部分の配置および大きさの少なくとも一方が変化するよう関連付けられたものである場合は、この模様を、上記透かし模様を通して、目線の角度を変えながらみると、とりわけ優れた視覚的な効果が得られるため、好適である。
【００２６】
また、本発明のなかでも、特に、上記蓋体上方から透かし模様を見る際の目線が、透かし模様に対し最大１０〜９０°の角度で変化するよう想定されており、この角度変化の間に、その透かし模様を通して見える模様が、２〜１０種類の模様パターンによって変化を生じるよう設定されているものは、目線を動かす角度範囲が好適な範囲であり、しかも、その範囲に適した模様パターン数が設定されているため、スキャニメーション等の視覚的な変化が滑らかで、しかもその変化を把握しやすいという利点を有する。
【００２７】
さらに、本発明のなかでも、特に、上記蓋体の透かし模様が形成された面と、容器本体に収容された化粧料の上面、もしくはこの上面に載置される透明保護シートの上面との垂直距離が、０．１〜２０．０ｍｍに設定されているものは、視覚的に変化する模様の動き幅が好適な範囲に絞られるため、その変化を捉えやすく、より印象の強い視覚的な効果を得ることができる。
【００２８】
そして、本発明のなかでも、特に、上記化粧料の上面もしくは透明保護シートの平面視形状が、縦３５〜７０ｍｍ×横３５〜１３０ｍｍの矩形状か、最大幅が３５〜８０ｍｍの多角形状、円形状、楕円形状のいずれかであるものは、スキャニメーション等の規則的な変化を表現するのに充分な広さの面が確保されるため、変化する模様が見やすく好適である。
【００２９】
また、本発明のなかでも、特に、上記化粧料容器が、容器本体の上面に対してスライド自在に取り付けられた蓋体によって開閉されるようになっており、上記蓋体を容器本体の上面からスライドさせることにより、上記蓋体の透かし模様から見える化粧料の上面、もしくはこの上面に載置される透明保護シートの上面に付与された特定の模様が、規則的に変化して見えるようになっているものは、化粧料容器を閉じた状態で透かし模様に対する目線の角度を変えたときだけでなく、蓋体を開閉する際にも、模様の変化を見ることができるため、繰り返しその視覚的な効果を楽しむことができる。
【図面の簡単な説明】
【００３０】
【図１】本発明の一実施の形態である化粧料容器の、蓋体を閉じた状態を示す斜視図である。
【図２】上記化粧料容器の、蓋体を開いた状態を示す斜視図である。
【図３】上記化粧料容器に収容された化粧料上面に付与された模様の説明図である。
【図４】上記模様の作り方を説明するための模式的な部分断面図である。
【図５】（ａ）〜（ｄ）は、いずれも上記模様を作るために用意される模様パターンの説明図である。
【図６】（ａ）〜（ｄ）は、いずれも他の模様を作るために用意される模様パターンの説明図、（ｅ）はこれらの模様パターンから作られる化粧料上面の模様の説明図である。
【図７】（ａ）〜（ｄ）は、いずれもさらに他の模様を作るために用意される模様パターンの説明図、（ｅ）はこれらの模様パターンから作られる化粧料上面の模様の説明図である。
【図８】（ａ）は本発明の他の実施の形態である化粧料容器の、蓋体を閉じた状態を示す斜視図、（ｂ）は上記化粧料容器の、蓋体を途中まで開いた状態を示す斜視図である。
【図９】（ａ）は本発明のさらに他の実施の形態において用いられる模様の説明図、（ｂ）は上記模様を見せるための透かし模様の説明図、（ｃ）〜（ｆ）は、いずれも上記透かし模様を通して見える模様の変化を示す説明図である。
【図１０】（ａ）は本発明のさらに他の実施の形態において用いられる模様の説明図、（ｂ）は上記模様を見せるための透かし模様の説明図、（ｃ）〜（ｆ）は、いずれも上記透かし模様を通して見える模様の変化を示す説明図である。
【図１１】（ａ）は本発明のさらに他の実施の形態において用いられる模様の説明図、（ｂ）は上記模様を見せるための透かし模様の説明図、（ｃ）は蓋体を閉じた状態で上記透かし模様を通して見える模様の説明図である。
【図１２】（ａ）〜（ｄ）は、いずれも目線の角度を変えて上記透かし模様を通して見える模様の説明図である。
【図１３】（ａ）は本発明の他の実施の形態の化粧料容器において、容器本体に収容された化粧料の説明図、（ｂ）は上記化粧料容器の蓋体の説明図である。
【図１４】（ａ）は色模様の他の例を示す説明図、（ｂ）はその色模様を見せるための透明領域を示す説明図、（ｃ）、（ｄ）は、いずれも上記色模様の変化を示す説明図である。
【図１５】（ａ）〜（ｃ）は、いずれも上記色模様の変化を示す説明図である。
【図１６】（ａ）は色模様のさらに他の例を示す説明図、（ｂ）はその色模様を見せるための透明領域を示す説明図、（ｃ）、（ｄ）は、いずれも上記色模様の変化を示す説明図である。
【図１７】（ａ）〜（ｃ）は、いずれも上記色模様の変化を示す説明図である。
【図１８】本発明の他の実施の形態である化粧料容器の説明図である。
【図１９】（ａ）はスキャニメーションを利用した仕掛け絵本の一例を示す説明図、（ｂ）〜（ｄ）はいずれも上記仕掛け絵本における模様の見え方の説明図である。
【発明を実施するための形態】
【００３１】
つぎに、本発明の一実施の形態について説明する。ただし、本発明は、この実施の形態に限られるものではない。
【００３２】
図１は、本発明の一実施の形態である化粧料容器の蓋体が閉じた状態を示す斜視図であり、図２は、これを開いた状態を示す斜視図である。この化粧料容器は、化粧料（この例ではフェイスカラー）を収容するコンパクトケースタイプの容器で、容器本体１０と、容器本体１０の上面を蓋する蓋体１１とを備えている。そして、両者は、互いの後端部に設けられたヒンジ部１２によって回動自在に連結されており、蓋体１１側に設けられた係合片１３と容器本体１０側に設けられた係合用突起１４との係合によって、互いに係止されるようになっている。
【００３３】
上記蓋体１１は、全体が透明樹脂成形体からなり、その上面に、左右方向に延びる幅１ｍｍの白色ライン１５が、０．５ｍｍの隙間をあけて容器の前後方向に平行に並ぶことにより、筋模様Ｐが形成されている。そして、この筋模様Ｐの、白色ライン１５と白色ライン１５との間は、透明な「地」の部分が線状に延びているため、筋模様Ｐは、別のいい方をすれば、「幅０．５ｍｍの透明な線分が１ｍｍの間隔で平行に並ぶ筋模様」ということもできる。そして、上記筋模様Ｐは、透明な「地」の部分が平行に並ぶことによって構成された「透かし模様」である。
【００３４】
上記筋模様Ｐは、例えば、透明樹脂成形体である蓋体１１に、白色インクを用いて筋模様Ｐのシルクスクリーン印刷を行うことによって得ることができる。また、予め転写シートに、白色インクによる筋模様Ｐを形成しておき、これを透明な蓋体１１の表面に転写することによっても得ることができる。
【００３５】
一方、容器本体１０は、図２に示すように、その上面の略中央に、化粧料収容用の凹部１６が形成されており、凹部１６内に、中皿１７に充填された化粧料１８が収容されている。そして、上記凹部１６の手前側には、化粧筆等の化粧用具１９を収容するための化粧用具用凹部２０が形成されている。
【００３６】
そして、上記化粧料１８の平坦な表面には、これを真上から見た図３に示すように、化粧料１８の肌色の地の上に、周囲が横縞模様になった淡いオレンジ色の水玉からなる水玉模様２１が形成されている。
【００３７】
上記水玉模様２１は、図１に示すように容器を閉じた状態で、蓋体１１の筋模様Ｐの透明部分を透かして、目線の角度を変えながら見たときに、錯視によりスキャニメーションの効果が得られるような、特殊な構成のデザインになっている。ただし、図１において、蓋体１１の透明部分から容器本体１０側の水玉模様２１の一部が透けて見えるが、その図示を省略している。
【００３８】
上記水玉模様２１のデザインは、例えば以下のような手順で作ることができる。すなわち、まず、図４に示すように、蓋体１１の上から筋模様Ｐの透明部分（白色ライン１５同士の隙間部分：幅０．５ｍｍ）を透かして内側の水玉模様２１を見るときに、筋模様Ｐに対して変化する目線の最大角度を、例えば６０°と設定する。つぎに、この目線の角度の変化によって筋模様Ｐの透明部分から見える化粧料１８の表面の領域幅Ｄ’を求める。
【００３９】
そして、目線の角度が６０°変化する間に、４種類の模様パターンを順次見せてスキャニメーション効果を得る場合、この領域幅Ｄ’を、四つの帯領域Ａ〜Ｄに分割する。そして、各帯領域Ａ〜Ｄをさらにそれぞれ４分割して、各帯領域Ａ〜Ｄの、図において最も左側にある筋領域ａ1 、ｂ1 （ｂ1 以下は図示を省略）を、第１の模様パターンを見せる領域とし、左から２番目にある筋領域ａ2 、ｂ2 …を、第２の模様パターンを見せる領域とし、同様に、第３の模様パターンを見せる領域、第４の模様パターンを見せる領域として割り振り、見せる筋領域以外の部分は、帯状に模様が抜けた状態とする。
【００４０】
なお、上記水玉模様２１を作るための第１〜第４の模様パターンを、図５（ａ）〜（ｄ）に示す。ただし、各模様パターンは、各筋領域ａ1 、ｂ1 …等に割り振る前の模様である。
【００４１】
そして、上記第１の模様パターンから第４の模様パターンが、各筋領域ａ1 、ｂ1 …等に割り振られて、互いに見せる部分が所定ピッチずつずれて筋状模様となったものを、同一面上に重ねて示すことにより、図３に示すような水玉模様２１を得ることができる。
【００４２】
このようにして得られた水玉模様２１を、化粧料１８の上面に付与し、蓋体１１の上から、その筋模様Ｐの透明部分から透かして見れば、目線がずれるにしたがって、図５（ａ）〜（ｄ）に示す第１の模様パターン、第２の模様パターン、第３の模様パターン、第４の模様パターン、がこの順で、あるいはこの逆の順で、繰り返し見えるようになっている。そして、各模様パターンの切り替わりによる変化が、人間の目の錯視によって、あたかも滑らかに動いて変化するように見えるため、上記水玉模様２１のそれぞれの水玉が、目線の角度の変化に応じて、ゆらゆらと動きながら大きくなったり小さくなったりするように見える。
【００４３】
なお、上記水玉模様２１は、模様を構成するそれぞれの水玉が、同じ位置でゆらゆら動くものであるが、他の例として、例えば、模様を構成する模様部分が、その配置を変えて動いていくように見えるものや、複数の模様部分が、互いに異なるタイミングで現出したり消えたりして、全く印象の異なる模様がつぎつぎと現れるように見えるもの等があげられる。
【００４４】
例えば、図６（ａ）〜（ｄ）に示すような４種類の模様パターンを準備し、上記水玉模様２１の作り方と同様にして、各模様パターンにおいて、目線がずれたときに筋模様Ｐを透かして見える部分を割り振った後、これらを同一面上に重ねると、図６（ｅ）に示す模様３１となる。この模様３１を、上記の例と同様の化粧料１８の上面に付与し、蓋体１１の上から、目線の角度を変えながら筋模様Ｐから透かして見ると、ヤツデの葉のような模様が、つぎつぎと右上奥側から左下手前側に向かって接近してくるようなスキャニメーション効果を得ることができる。
【００４５】
さらに他の例として、例えば、図７（ａ）〜（ｄ）に示すような４種類の模様パターンを準備し、上記水玉模様２１等の作り方と同様にして、各模様パターンにおいて、目線がずれたときに筋模様Ｐを透かして見える部分を割り振った後、これらを同一面上に重ねると、図７（ｅ）に示す模様３２となる。この模様３２を、上記の例と同様の化粧料１８の上面に付与し、蓋体１１の上から、目線の角度を変えながら筋模様Ｐから透かして見ると、いくつかのアルファベットの文字と黒丸の模様が、互いに、消えたり現れたりするため、何かの謎解きを意味するようなスキャニメーション効果を得ることができる。また、その商品に関連するロゴ等を、同様の方法で見せることにより、顧客の興味をより一層強く惹きつけることができる。
【００４６】
なお、上記水玉模様２１等の模様を化粧料１８の上面に付与する方法としては、「地」の部分の化粧料１８の色と異なる色味（前記の例では「地」の部分が肌色、水玉模様２１がそれよりもやや濃いオレンジ色）の化粧料を用い、中皿１７に充填された化粧料１８の上面に、例えば静電スクリーン印刷によって、その模様を直接印刷する方法（特開２００５−１４４９３５号公報等を参照）が好適である。
【００４７】
このようにして得られる化粧料容器は、すでに述べたように、この容器を手にとって、蓋体１１の筋模様Ｐを見る目線の角度を変えるだけで、この筋模様Ｐから透けて見える化粧料１８の上面模様（水玉模様２１等）が動くように変化して見えるため、従来にない、強いインパクトを顧客に与えることができる。また、上記化粧料容器を複数個、その筋模様の並ぶ方向と化粧料容器の並ぶ方向とが一致する配置で通路沿いに並べて陳列しておけば、そばを通る顧客が、化粧料容器に対する目線の角度をつぎつぎと変えながら化粧料容器を見ることになるため、陳列された化粧料容器の模様がつぎつぎと変化するように見えて、高いアイキャッチ効果を奏する。
【００４８】
しかも、上記水玉模様２１等の、スキャニメーション効果を得るための模様は、容器本体１０に収容された化粧料１８の上面に付与されているため、容器の蓋体１１や容器本体１０を量産しておき、最終工程において、容器本体１０に収容する化粧料１８の表面に特定の模様を付与するだけで、簡単に、スキャニメーション効果を奏する様々なデザインの化粧料容器を提供することができる。したがって、顧客ニーズに応じたデザインの化粧料容器を、低コストで、短期間で納品することができるという利点を有する。
【００４９】
なお、上記の例において、筋模様Ｐに対して変化する目線の最大角度を、６０°として模様パターンを準備したが、その最大角度は、１０〜９０°とすることが好ましく、なかでも４０〜９０°とすることがより好ましく、４５〜６０°とすることが最適である。すなわち、目線の角度の変化が小さすぎると、筋模様Ｐを透かして動く領域の幅が狭くなるため、スキャニメーションの動作が小さくなって印象が弱くなるおそれがある。逆に、目線の角度の変化が大きすぎると、動く領域の幅が広いため、動きが早くなりすぎて模様の変化を捉えにくくなるおそれがある。
【００５０】
また、スキャニメーションによって変化させる模様パターンの数は、少なすぎると面白みに欠け、多ければ多いほど複雑な動きを表現することができる半面、筋模様Ｐで隠す領域幅も増えるため、限られた面積での表現では、模様が捉えにくくなるという問題がある。したがって、本発明においては、２〜１０種類の模様パターンを変化させることが好ましく、なかでも４種類か５種類の模様パターンを変化させることが最も効果的である。
【００５１】
さらに、スキャニメーションを印象的に見せるには、蓋体１１側の筋模様Ｐが形成された面（＝蓋体１１の上面）と水玉模様２１等の模様が形成された面（＝化粧料１８の上面）との垂直距離（図４においてＨで示す）も重要である。すなわち、上記垂直距離Ｈが短すぎると、模様の動き幅（図４におけるａ1 、ａ2 等の幅）が小さいため模様の変化が乏しいものになるおそれがあり、逆に、上記垂直距離Ｈが長すぎると、模様の動き幅が大きく、変化が早すぎてその動きを捉えにくくなるおそれがある。また、その場合は、化粧料容器が上下方向に嵩張りすぎるため、その点においても好ましくない。したがって、上記垂直距離Ｈは、０．１〜２０．０ｍｍに設定することが好適であり、なかでも２．０〜７．０ｍｍに設定することが最適である。
【００５２】
また、蓋体１１に形成する筋模様Ｐは、不透明な線分（上記の例では白色ライン１５）と、透明な線分とが交互に並んで形成されているが、図４に示すように、不透明な線分の幅Ｓと透明な部分の幅Ｔにおいて、不透明な線分の幅Ｓは、１．０〜５．０ｍｍに設定することが好適であり、透明部分の幅Ｔは、０．３〜２．０ｍｍに設定することが好適である。上記Ｓ、Ｔが大きすぎると、模様の変化に面白みがなくなるおそれがあり、逆にＳ、Ｔが小さすぎると、模様の変化を捉えにくくなるおそれがある。
【００５３】
そして、上記筋模様Ｐにおける不透明な線分は、白色である必要はなく、容器のデザインに応じた色を選択することができる。ただし、筋模様Ｐを透かして見せる模様の色とのバランスを考慮することが望ましい。
【００５４】
また、上記筋模様Ｐは、必ずしも蓋体１１の上面に設ける必要はなく、場合によっては蓋体１１の下面、すなわち容器本体１０の上面と対峙する側の面に設けてもよい。ただし、その場合も、上記筋模様Ｐの形成面と、化粧料１８の上面との垂直距離は、前述のとおり、０．１〜２０．０ｍｍに設定することが好適であり、なかでも２．０〜７．０ｍｍに設定することが最適である。
【００５５】
さらに、上記の例では、蓋体１１として、透明な樹脂成形体を用い、これに白色インクを印刷して筋模様Ｐを形成したが、透明な樹脂成形体の上面もしくは下面に、塗装や転写、金属蒸着等によって着色層を形成し、この層をレーザ照射等によって部分的に除去することによって、所定間隔で平行に並ぶ多数の透明な線分からなる筋模様Ｐを形成するようにしてもよい。この筋模様Ｐによっても、同様のスキャニメーション効果を奏することができる。
【００５６】
そして、上記の例では、容器本体１０の凹部１６内に、中皿１７に化粧料１８を充填して収容したが、凹部１６内に、直接化粧料１８を充填して収容したものであっても差し支えない。
【００５７】
また、上記の例は、本発明を、容器本体１０と蓋体１１とが後端部においてヒンジ連結され、蓋体１１が前後に開閉するコンパクトタイプの化粧料容器に適用したものであるが、蓋体１１を閉じた状態で、筋模様Ｐに対する目線の角度を変えることによってスキャニメーション効果が得られるものは、その目線の角度が変化する方向に沿って筋模様Ｐが移動した場合も、その筋模様Ｐを通して見える模様が変化する。したがって、目線の角度が変化する方向に蓋体１１がスライド移動して開閉するよう構成された、スライドタイプの化粧料容器においては、目線の角度を変化させるだけでなく、蓋体１１の開閉時にも、スキャニメーション効果を楽しむことができる。逆にいえば、スライドタイプの化粧料容器において、蓋体１１の開閉によってスキャニメーション効果を奏するような工夫がなされたものは、必然的に、蓋体１１を閉じた状態においても、目線の角度を変化させれば、同様のスキャニメーション効果が得られるようになっている。
【００５８】
本発明を、スライドタイプの化粧料容器に適用した一例を、図８に示す。図８（ａ）は、蓋体１１が閉じた状態を示す斜視図であり、図８（ｂ）は、蓋体１１が途中まで開いた状態を示す斜視図である。この化粧料容器は、略板状の容器本体１０に対し、略板状の蓋体１１がスライド自在に取り付けられた構成になっており、それぞれの左右両側の側壁部に設けられたレール状の係合部（図示せず）によって、矢印Ｑで示すように蓋体１１がスライドにより開閉して、容器本体１０の上面を露出させることができるようになっている。
【００５９】
上記蓋体１１は、全体が透明樹脂成形体からなり、その上面の、容器本体１０側の化粧料１８を覆う部分に、図１、図２に示す化粧料容器と同様の、左右方向に延びる平行な白色ライン１５からなる筋模様Ｐが設けられている。また、上記容器本体１０も、全体が透明樹脂成形体からなり、その上面の奥側に設けられた化粧料収容用の凹部１６内に、中皿１７に充填された化粧料１８が収容されている。そして、上記凹部１６の手前側には、化粧筆等の化粧用具を収容するための化粧用具用凹部２０が形成されている。
【００６０】
そして、上記化粧料１８の上面には、図１、図２に示す化粧料容器と同様の、化粧料１８の肌色の地の上に、周囲が横縞模様になった淡いオレンジ色の水玉からなる水玉模様２１が形成されている（図３参照）。なお、ただし、図８（ａ）、（ｂ）において、蓋体１１の透明部分から容器本体１０側の水玉模様２１の一部が透けて見えるが、その図示を省略している。
【００６１】
上記化粧料容器によれば、蓋体１１を閉じた状態で、蓋体１１の筋模様Ｐの透明部分を透かして、目線の角度を変えながら見ると、目線がずれるにしたがって、前記図１、図２に示す化粧料容器と同様、図５（ａ）〜（ｄ）に示す４種類の模様パターンがこの順で、あるいはその逆の順で、繰り返し見えるようになっており、前記と同様のスキャニメーション効果を得ることができる。
【００６２】
しかも、上記化粧料容器では、蓋体１１を前後方向にスライドさせて開閉するようになっているため、上記蓋体１１を開くために後方にスライド移動させていくと、筋模様Ｐと、容器内側の水玉模様２１との位置関係がずれて、筋模様Ｐに対する目線がずれていく場合と同様の、スキャニメーション効果を楽しむことができる。また、蓋１１を閉じるために、再び前方にスライド移動させていくと、今度は逆動作で模様が変化するスキャニメーション効果を楽しむことができる。
【００６３】
したがって、上記化粧料容器によれば、蓋体１１を閉じた状態で筋模様Ｐに対する目線の角度を変えたときだけでなく、蓋体１１を開閉する際にも、模様の変化を見ることができる。
【００６４】
また、本発明において、スキャニメーション効果を得るための筋模様Ｐは、上記の例では、化粧料容器の左右方向に延びる白色ライン１５が平行に並んだものであるが、筋模様Ｐを、化粧料容器の左右方向もしくは前後方向に対して傾斜させると、その目線の角度を変える方向もしくは上記のように蓋体１１をスライドさせる方向に対して、筋模様Ｐの透明な部分と不透明な部分との入れ代わりのタイミングが緩やかになるため、スキャニメーション効果において、微妙な変化が捉えやすくなり、より滑らかな動きを演出することができる。
【００６５】
例えば、図８と同様の、スライドタイプの化粧料容器において、傾斜した筋模様Ｐを設けた例を図９に示す。この化粧料容器の、容器本体１０内に収容された化粧料１８の上面には、図９（ａ）に示すような、ヤツデの葉が重なったような模様３５が付与されている。また、この化粧料容器の蓋体１１には、図９（ｂ）に示すように、化粧料容器の左右方向に対する傾斜角度θが８８°に設定された筋模様Ｐが形成されている。それ以外の構成は、図８に示すものと同様であり、その説明を省略する。
【００６６】
なお、上記化粧料１８の上面に付与された模様３５は、上記傾斜した筋模様Ｐの透明部分を透かして見える４種類の模様パターンを組み合わせて同一面上に重ねて示したものであり、図６（ｅ）に示す模様３１の作り方と同様の考え方で作成されている。
【００６７】
この化粧料容器によれば、蓋体１１を閉じた状態では、図９（ｃ）に示すように、２枚の葉が見え、蓋体１１を後方にスライド移動させていくにしたがって、図９（ｄ）〜（ｆ）に示すように、その位置が左側から右上に移っていき、しかもその大きさが小さくなっていくため、葉が左手前側から右上の奥側に向かって遠ざかっていくように見える。また、蓋体１１を開いた状態から、手前にスライド移動させていくと、逆に、右上の小さな葉が、左側に大きくなりながら移動するため、右奥側から左手前側にぐっと接近してくるように見える。しかも、筋模様Ｐが傾斜しているため、その移り変わりが滑らかで、よりリアルに感じられる動きとなる。
【００６８】
また、この化粧料容器は、蓋体１１を開閉しなくても、閉じた状態のまま容器を前後方向や左右方向、あるいはやや斜め方向に動かすと、模様３５に対する目線の角度が動いて、葉が遠ざかったり接近したり、その枚数が増えたり減ったりするため、非常に興趣に富むものとなる。
【００６９】
さらに、上記の例と同様の、傾斜した筋模様Ｐを備えた化粧料容器であって、模様の異なる例を図１０に示す。この例では、化粧料１８の上面に、図１０（ａ）に示すような、大小７個のアルファベットの文字からなる模様３６が付与されており、蓋体１１には、図１０（ｂ）に示すように、化粧料容器の左右方向に対する傾斜角度θが８６°に設定された筋模様Ｐが形成されている。
【００７０】
上記化粧料１８の上面に付与された模様３６も、上記傾斜した筋模様Ｐの透明部分を透かして見える４種類の模様パターンを組み合わせて同一面上に重ねて示したものであり、図９（ａ）に示す模様３５の作り方と同様の考え方で作成されている。
【００７１】
この化粧料容器によれば、蓋体１１を閉じた状態では、図１０（ｃ）に示すように、「Ｃ」、「Ｏ」、「Ｉ」、「Ｓ」の４個の文字が見え、蓋体１１を後方にスライド移動させていくにしたがって、図１０（ｄ）〜（ｆ）に示すように、見えていた文字が消えたり現れたりする。また、蓋体１１を開いた状態から、手前にスライド移動させていくと、逆の動きで文字が消えたり現れたりする。
【００７２】
したがって、これらの文字によって、何かの謎解きを意味するようなスキャニメーション効果を得ることができる。また、商品に関連するロゴ等を、上記のように見せることによって、顧客の興味を、さらに惹きつけることができる。しかも、図９に示す場合と同様、この化粧料容器は、蓋体１１を開閉しなくても、閉じた状態のまま容器を動かすと、模様に対する目線の角度が動いて、文字が消えたり現れたりするため、非常に興趣に富むものとなる。
【００７３】
なお、これらの例のように、透かし模様として、斜めに傾斜した筋模様Ｐを用いる場合、その傾斜角度θ〔図９（ｂ）、図１０（ｂ）を参照〕は、不透明な部分と透明な部分とが断続的に並ぶ方向（これらの例では、化粧料容器の左右方向）に対して、４５〜１３５°、なかでも７０〜１１０°に設定することが好適であり、さらに好ましくは８０〜１００°である。すなわち、上記筋模様Ｐの傾斜角度θが水平に近づきすぎる（傾きすぎる）と、動きが滑らかに見える効果が小さすぎて、傾斜をつける意味がなくなるおそれがある。ただし、傾斜角度θが垂直に近づきすぎると、スキャニメーションの効果が得られなくなるおそれがあり、注意を要する。
【００７４】
また、スキャニメーション効果を引き出すための透かし模様は、上記一連の例のように、化粧料容器に対して真っ直ぐに延びる筋模様Ｐや、斜め方向に延びる筋模様Ｐの他、不透明部分に対し透明部分が断続的に並ぶよう設定された透かし模様であれば、どのような模様であっても差し支えない。ただし、本発明のスキャニメーション効果を得るには、その断続的に並ぶ透明部分に位置決めされる化粧料上面の模様が、つぎつぎとずれることよって、異なる模様パターンが現出するよう設定されていなければならない。
【００７５】
筋模様Ｐ以外の透かし模様としては、例えば蓋体１１の透明領域に不透明な点状部が規則的に並ぶものや、逆に蓋体１１の不透明領域に透明な点状部が規則的に並ぶものがあげられる。その一例として、例えば、容器本体１０に収容された化粧料１８（図８参照）の上面に、図１１（ａ）に示すような模様３７が付与され、蓋体１１（同じく図８参照）に、茶色の線が縦横に交差する格子状の透かし模様Ｐ′が付与されたものをあげることができる。
【００７６】
より詳しく説明すると、上記化粧料１８の模様３７は、図１１（ａ）に示すように、白色のベースに、白色部分と茶色部分とが特定の配置で設けられた、大小７個のアルファベットの文字が表示された模様である。また、蓋体１１の透かし模様Ｐ′は、図１１（ｂ）に示すように、透明樹脂成形体からなる蓋体１１の上面に、茶色の着色層からなる格子状の不透明部３８が形成され、その不透明な格子状の不透明部３８の間に、規則的に並ぶ小さな正方形の透明部３９が形成された形になっている。
【００７７】
この構成によれば、蓋体１１側の透明部３９に、化粧料１８の模様３７のうち文字の白い部分が位置決めされるか茶色い部分が位置決めされるかによって、模様が変化するようになっており、上記蓋体１１を閉じて透かし模様Ｐ′と化粧料１８の模様３７とを重ねた状態では、図１１（ｃ）に示すように、「Ｃ」、「Ｏ」、「Ｅ」、「Ｉ」、「Ｓ」の５文字がはっきり見えるようになっている。
【００７８】
そして、上記化粧料１８が収容された容器本体１０の上面から、蓋体１１を前後方向もしくは左右方向にスライド移動させることにより、文字の白い部分が蓋体１１側の透明部３９に完全に重なって文字が消失したり、文字の白い部分が格子状の茶色い線（不透明部３８）と重なり、文字から白い部分が消えて濃い色に変化したりする。また、それらの変化は、蓋体１１を閉じた状態のまま、容器上面に対する目線の角度を変えることによっても視認することができる。したがって、このような化粧料容器も、非常に興趣に富むものとなる。
【００７９】
ちなみに、図１２（ａ）は、蓋体１１を閉じた状態で、透かし模様Ｐ′を左上から斜めに見たときの見え方を示しており、図１２（ｂ）は、同じく右上から斜めに見たときの見え方を示している。さらに、図１２（ｃ）は、同じく左下から斜めに見たときの見え方を示しており、図１２（ｄ）は、同じく右下から斜めに見たときの見え方を示している。
【００８０】
なお、上記の例とは逆に、蓋体１１の上面全体に不透明な着色層を形成し、その着色層を、レーザ照射等によって部分的に除去することにより透明な格子状部を作ることにより、図１１（ｂ）における透明部と不透明部とが反転した構成の透かし模様Ｐ′とすることもできる（図示を省略）。このような透かし模様Ｐ′によっても、上記の例と同様の効果を得ることができる。もちろん、断続的に配置される点状の透明部や不透明部は、必ずしも上記の例のように、格子に囲まれた正方形でなくてもよく、小さな円や、他の多角形等が並んだ形になっていても差し支えない。
【００８１】
また、上記一連の例では、蓋体１１に付与される透かし模様Ｐ、Ｐ′として、比較的緻密な筋模様や格子状のものを用い、化粧料１８の表面に付与される模様も、それに併せて細かく変化して見えるデザインになっているため、蓋体１１に対する目線の角度を変えたり蓋体１１をスライドさせたりする度に、蓋体１１を通して見える化粧料１８の表面模様が、錯視によってあたかも動くように見えて、スキャニメーション効果が得られるようになっている。しかし、本発明には、完全なスキャニメーション効果が得られるものに限らず、規則的に模様が変化して見えるようになっているものも含むことができる。すなわち、模様の変化を、錯視によってあたかも動くように見せることはできなくても、蓋体１１を通して見える化粧料１８の表面の色や模様が、見る角度や蓋体１１の位置によって規則的に変化してつぎつぎと異なる印象を与えるようになっていれば、充分に視覚的なインパクトがあり、高いアイキャッチ効果を奏するからである。
【００８２】
そのような例として、例えば、図８に示すようなスライドタイプの化粧料容器において、より幅の太い筋状の透かし模様が設けられたものをあげることができる。その一例を図１３に示す。このものは、基本的な構成は、図８に示すものと同様であるが、容器本体１０を上から見た図１３（ａ）に示すように、化粧料１８の表面に、三色（オレンジ、ピンク、クリームイエロー）の帯状の模様部分４０〜４２が規則的に並んだ色模様５０が付与されている。
【００８３】
また、その蓋体１１は、これを上から見た図１３（ｂ）に示すように、その上面の略全面に、白色インクを用いたスクリーン印刷によって、白色の着色層４３が形成されている。そして、この着色層４３は、蓋体１１を閉じた状態で、容器本体１０側の色模様５０のうち、オレンジ色の模様部分４０と対峙する四つの帯状部分には形成されておらず、その四つの未着色部分が、図示のように、それぞれ左右方向に帯状に延びる透明領域４４になっている。この透明領域４４が、前記一連の例における透かし模様Ｐ、Ｐ′の役割を果たすのであり、蓋体１１を閉じた状態で、これを上から見ると、各透明領域４４から、容器内側の、オレンジ色の模様部分４０による縞だけが見える。したがって、容器本体１０に収容された化粧料１８は、一見、オレンジ色だけの単色のもののように見える。
【００８４】
しかし、上記蓋体１１を、図１３（ｂ）において矢印Ｒで示すように後方にスライド移動させていくと、上記透明領域４４の下に位置決めされる色模様５０の色が、オレンジ（模様部分４０の色）→クリームイエロー（模様部分４２の色）→ピンク（模様部分４１の色）と順次変化していくため、蓋体１１の透明領域４４を通して見える化粧料１８の色がつぎつぎと変化して異なる印象となり、興趣に富むものとなる。しかも、手前で引き出された化粧料１８は、その表面に、オレンジ、ピンク、クリームイエローの三色の色模様５０が付与されており、意外性を有している。
【００８５】
また、上記化粧料容器は、蓋体１１を閉じた状態のままであっても、その蓋体１１に対する目線を前後に動かすか、化粧料容器を手にとって前後に角度を付けるように動かすと、蓋体１１をスライドさせたときと同じように、蓋体１１の透明領域４４から見える色模様５０の色が変わり、あたかも内側の化粧料１８の色が変化したかのように見えて、興味深いものとなっている。したがって、店頭において、顧客が手にとって見る際に、その色の変化を楽しむことができ、アイキャッチ効果が高い。また、人が容器を直接手にとらなくても、人が化粧料容器のそばを移動するだけで、蓋体１１の透明領域４４を通して見える容器内の化粧料１８の色が変化するため、例えば、この化粧料容器を複数個、店頭において、蓋体１１に対する目線が変化する方向と、化粧料容器の並ぶ方向とが一致するような配置で通路沿いに並べて陳列しておけば、そばを通る顧客が、化粧料容器に対する目線の角度をつぎつぎと変えながら化粧料容器を見ることになるため、陳列された化粧料容器から見える内側の色がつぎつぎと変化して見え、高いアイキャッチ効果を奏する。
【００８６】
なお、このように、スキャニメーションのように模様が動くような効果はないものの、蓋体１１の開閉動作や目線の角度の変化によって、色や模様が規則的に変化するように見せるには、化粧料１８の表面における色模様５０の各縞の幅〔図１３（ａ）においてＷで示す〕と、蓋体１１の透明領域４４の幅〔図１３（ｂ）においてＹで示す〕および配置を互いに関連付けて設定することが必要であり、上記の例では、三色の模様部分４０〜４２による各縞の幅と、透明領域４４の幅を、ともに４ｍｍに設定している。また、透明領域４４の互いのピッチ〔図１３（ｂ）においてＺで示す〕は、１２ｍｍに設定している。このピッチＺは、幅４ｍｍの、３種類の色の異なる縞を、蓋体１１開閉時のスライド幅に応じて順次位置決めできるよう考慮したものである。
【００８７】
そして、上記色模様５０の各縞の幅Ｗ（透明領域４４の幅Ｙと等しく設定される）は、上記の例に限らず、１〜１０ｍｍ、なかでも２〜６ｍｍに設定することが好ましい。そして、縞模様として見せる色数（この例では、模様部分４０〜４２の三色）は、化粧料容器の大きさ等にもよるが、通常、２〜８種類、なかでも３〜５種類程度に設定することが好適である。また、上記透明領域４４のピッチＺは、Ｗ（＝Ｙ）×色数、として求められる。
【００８８】
また、上記縞模様の変化を効果的に見せるための、蓋体１１側に設けられた透明領域４４と、化粧料２０の表面との垂直距離Ｈ（図４参照）は、前記スキャニメーション効果を得る場合と同様、通常、０．１〜２０．０ｍｍに設定することが好適であり、なかでも、目線の角度を変えて模様を変化させる効果をもたせるには、２．０〜７．０ｍｍに設定することがとりわけ好適である。
【００８９】
さらに、上記色模様５０の縞と、それを限定的に見せる透明領域４４とを、蓋体１１のスライド方向に対して斜めに傾斜させることもできる。例えば、基本的な構成は上記の例と同様の化粧料容器において、図１４（ａ）に示すように、容器本体１０の化粧料１８の表面に付与された色模様５０が、三色（オレンジ、ピンク、クリームイエロー）の模様部分４０〜４２が左下から右上に向かって斜め方向に延びた縞模様になっているものを準備する。また、この容器本体１０に組み合わせられる蓋体１１として、図１４（ｂ）に示すように、上記色模様５０の斜めの縞模様に合わせて、斜めに延びる四つの透明領域４４が形成されたものを準備する。なお、上記透明領域４４を囲う着色層４３は、色模様５０の模様部分４０と同じオレンジ色の着色層である。
【００９０】
上記容器本体１０と蓋体１１とを組み合わせた化粧料容器は、蓋体１１を閉じた状態では、図１４（ｃ）に示すように、蓋体１１の透明領域４４に、色模様５０のうちオレンジ色の模様部分４０が位置決めされ、着色層４３のオレンジ色と重なって、蓋体１１と中味である化粧料１８とがともにオレンジ色で統一されているように見える。そして、蓋体１１をスライドさせて開くにしたがって、まず、透明領域４４にオレンジ色の模様部分４０とピンク色の模様部分４１とが半分ずつ位置決めされると、図１４（ｄ）に示すように、ピンク色の化粧料とオレンジ色の化粧料とが細いストライプ状に嵌め込まれているかのように見える。つぎに、透明領域４４にピンク色の模様部分４１が完全に位置決めされると、図１５（ａ）に示すように、化粧料１８がピンク色の単色であるかのように見える。
【００９１】
そして、透明領域４４に、今度はピンク色の模様部分４１とクリームイエロー色の模様部分４２とが半分ずつ位置決めされると、図１５（ｂ）に示すように、再び、ピンク色の化粧料とオレンジ色の化粧料とが細いストライプ状に嵌め込まれているかのように見え、さらに蓋体１１をスライドさせると、図１５（ｃ）に示すように、完全にクリームイエロー色のストライプとなる。したがって、容器内側の化粧料１８の色が、つぎつぎと変化するような印象を与え、興趣に富むものとなる。
【００９２】
そして、これらの変化は、規則的に繰り返し、しかも縞模様が左右に延びる場合に比べてゆっくりと変化するため、微妙な変化を視認することができる。そして、これらの変化は、前記の例と同様、化粧料容器を閉じた状態においても、蓋体１１表面への目線を動かしたり容器自体を動かしたりすることによって、ある程度視認することができ、単なる化粧料容器とは異なる、目新しい印象を与えることができる。
【００９３】
また、上記の例では、色数が三色であるが、デザインによっては、二色であっても大きく変化したかのように見せることができる。例えば、基本的な構成は図１４に示す例と同様の化粧料容器において、図１６（ａ）に示すように、色模様５０として、ピンク色の模様部分６０とオレンジ色の模様部分６１が斜めに延びる縞模様になったものを準備する。そして、蓋体１１には、図１６（ｂ）に示すように、上記色模様５０に合わせて斜めに延びる複数の透明領域を組み合わせたものを準備する。上記透明領域は、斜めに延びる四つの透明領域からなり、その全体の輪郭が円形に見える第１の透明領域４４ａと、同じく斜めに延びる四つの透明領域からなり、その全体の輪郭が円形に見える第２の透明領域４４ｂとで構成されている。ただし、上記第１の透明領域４４ａと第２の透明領域４４ｂとは、一部重なっており、その下に位置決めされる色模様５０の縞模様の色が、互いに反対の色になるよう設定されている。４３は、白色の着色層である。
【００９４】
上記容器本体１０と蓋体１１とを組み合わせた化粧料容器は、蓋体１１を閉じると、図１６（ｃ）に示すように、蓋体１１の第１の透明領域４４ａに、色模様５０のうちオレンジ色の模様部分６１が位置決めされ、第２の透明領域４４ｂに、ピンク色の模様部分６０が位置決めされるようになっている。したがって、この容器内側には、オレンジ色の化粧料とピンク色の化粧料とが並んで収容されているかのように見える。そして、蓋体１１を後方にスライド移動させて少し開くと、まず、図１６（ｄ）に示すように、第１の透明領域４４ａと第２の透明領域４４ｂのどちらにも、オレンジ色の模様部分６１とピンク色の模様部分６０とが半分ずつ位置決めされて、どちらも同じ二色の細い縞模様の円に見える。ただし、正確には、第１の透明領域４４ａにおける二色の配置と、第２の透明領域４４ｂにおける二色の配置は、互いに左右反対になっている。
【００９５】
つぎに、蓋体１１をより後方にスライド移動させると、図１７（ａ）に示すように、第１の透明領域４４ａにピンク色の模様部分６０が位置決めされ、第２の透明領域４４ｂにオレンジ色の模様部分６１が位置決めされる。したがって、当初見えていた二つの円の配色が、全く反対になり、その印象が大きく変化する。そして、さらに蓋体１１を後方にスライド移動させると、図１７（ｂ）に示すように、再び、第１の透明領域４４ａと第２の透明領域４４ｂのどちらにも、オレンジ色の模様部分６１とピンク色の模様部分６０とが半分ずつ位置決めされて、どちらも同じ二色の細い縞模様の円に見える。ただし、図１６（ｄ）の場合と色の配置が逆になっている。そして、図１７（ｃ）に示すように、第１の透明領域４４ａにオレンジ色の模様部分６１が位置決めされ、第２の透明領域４４ｂにピンク色の模様部分６０が位置決めされて、図１７（ａ）において見えていた二つの円の配色が、再び反対になり、その印象が大きく変化する
【００９６】
このように、上記の例では、色模様５０が二色だけで構成されているにもかかわらず、蓋体１１に設けられた二つの透明領域４４ａ、４４ｂを通して見える２つの円の色が、蓋体１１の開度、目線の角度、あるいは化粧料容器を手に持った角度等によって様々な色合いに見えるため、アイキャッチ効果が高いものとなる。
【００９７】
また、上記一連の例では、上記化粧料１８の上面に、直接、視覚的な効果を得るための特定の模様（図２に示す水玉模様２１等）を付与したが、この構成では、化粧料１８を未使用の状態でしか、その視覚的な効果を楽しむことができない。すなわち、化粧料１８を使用し始めると、その上面の模様が崩れてしまうからである。
【００９８】
そこで、化粧料１８の使用後もスキャニメーション等の視覚的な効果を楽しむために、例えば図１８に示すように、化粧料１８の上面に載置される透明保護シート７０の上面に、スキャニメーション等の視覚的な効果を得るための、水玉模様２１等の特定の模様を印刷するようにしてもよい。この構成によれば、化粧料１８の使用、未使用に関係なく、蓋体１１を閉じてさえいれば、いつでもどこでもスキャニメーション等の視覚的な効果を楽しむことができ、好適である。なお、上記透明保護シート７０の下面側から特定の模様を印刷して、これを透明保護シート７０の上面側から透かして見せるようにしても同様の効果が得られる。したがって、本発明において、「透明保護シートの上面に、特定の模様を付与する」とは、上記のように、透明保護シート７０の下面側に模様を印刷等して、これを上面側から透かして見せる場合も含む趣旨である。
【００９９】
なお、図８等に示すように、化粧料容器がスライドタイプのものである場合は、模様が付与された透明保護シート７０が、蓋体１１のスライド動作によって化粧料１８の上面からずれないように、凹部１６内の化粧料１８の上面が、凹部１６の周囲よりも一段低く設定され、その一段低い部分において、透明保護シート７０が動かないようになっていることが好ましい。
【０１００】
また、上記のように、透明保護シート７０に模様を付与するのではなく、化粧料１８に直接、その厚み方向全体に同じ模様を形成するようにしてもよい。このようにすると、繰り返し化粧料１８を使用して化粧料１８がすり減っても、スキャニメーション等の視覚的な効果を奏する模様が崩れないため、好適である。
【０１０１】
そのような化粧料１８自身による、厚み方向全体に同じ模様を形成する方法としては、例えば、（１）予め模様を形成するための、複数の、色の異なる化粧料片を、小さな板状に賦形しておき、これを並べて化粧料収容用の凹部（中皿１７の凹部もしくは容器本体１０内に直接収容する場合は凹部１６）内に収容した後、上からプレスして固定する方法や、（２）凹部内を塞ぐ大きさの異なる複数の雄型を用意し、この雄型を、大きい方から順に凹部内に配置して、一層ずつ化粧料片材料の充填・固化を行う方法等があげられる。また、（３）流動性のある状態で各色の化粧料材料を、上記所定の色模様が形成されるよう仕切られた凹部内にそれぞれ充填した後、仕切りを除去して固化する方法を用いることもできる。なかでも、上記（１）の方法が、互いの境界面において形が崩れにくいことから好適である。
【０１０２】
さらに、スキャニメーション等の視覚的な効果を得るための模様を付与する化粧料１８の上面もしくは透明保護シート７０の平面視形状は、上記の例のように、正方形等の矩形状（角部がＲになっていてもよい。以下同じ）である必要はなく、三角形や五角形等の多角形状、円形状、楕円形状等、どのような形状であっても差し支えない。ただし、図８等に示す化粧料容器のように、蓋体１１をスライドさせてスキャニメーション等の視覚的な効果を得る場合、化粧小物の収容部を容器手前側に設ける等の構成により、容器がスライド方向に長くなっていると、蓋体１１のスライド距離が長くなって、その視覚的な効果を長く見せることができ、好適である。また、蓋体１１がスライドするか否かに関わらず、色や模様の変化を見せるのに充分な広さの面を確保して、その視覚的な効果を見やすくするには、その平面視形状が矩形状の場合、縦３５〜７０ｍｍ×横３５〜１３０ｍｍであることが好ましい。また、同じく多角形状や、円形状、楕円形状等の場合、その最大幅が３５〜８０ｍｍであることが好ましい。
【０１０３】
また、スキャニメーション等の視覚的な効果を得るための模様を化粧料１８の上面に付与する場合、その化粧料１８の上面は、平坦であっても、凹凸による立体模様が付与されたものであってもよい。視覚的な効果を得るための模様と立体模様とを組み合わせるには、例えば型押し打型によって化粧料１８の上面に立体模様を付与した後、その凹凸面に静電印刷を付与する等の方法を用いることができる。
【０１０４】
さらに、本発明において、蓋体１１の透明部分の表面や裏面に凹凸を形成するようにしてもよい。凹凸の形成によって、その部分を透かして見える模様が、より複雑な見え方をして、より興趣に富む視覚的な効果が得られるからである。
【０１０５】
なお、本発明において、容器本体１０の色と、蓋体１１に設けられ不透明部の色とを、同じ色に揃えると、透かし模様を通して見える模様部分が、周囲から視覚的に限定され、際立った形で見えるため、印象が強いものとなって好適である。また、同様に、化粧料１８の上面や透明保護シート７０の上面に付与される模様を構成する色のうち、その模様に占める面積の割合が最も大きい色と容器本体１０の色とを同じ色に揃えた場合も、模様の変化の見え方が際立ったものとなって好適である。
【０１０６】
また、スキャニメーション等の視覚的な効果を得るために、特定の模様を付与した透明保護シート７０を用いる場合、単に、その模様の視覚的な変化を見せるだけでなく、その下の化粧料１８の上面にも、第２の特定の模様を付与し、その第２の特定の模様と透明保護シート７０の模様とが組み合わさった複雑な模様を、蓋体１１の透かし模様から見せるようにしてもよい。この構成によれば、化粧料１８を使用していない段階では、上記特殊な組み合わせ模様の視覚的な変化を楽しむことができ、化粧料１８の使用によってその上面に付与された第２の特定の模様が消失していくにつれて、透明保護シート７０の模様との組み合わせ模様の見え方が変化するため、経時的に、その視覚的な効果も変化する。そして、最終的には、透明保護シート７０の模様単独による視覚的な効果が得られるようになる。したがって、長期間にわたって、組み合わせられる模様の変化に伴って異なる見え方となる、興味深い視覚的な効果を得ることができる。
【０１０７】
そして、本発明の化粧料容器は、コンパクトケースタイプの容器やスライドタイプの容器に限るものではなく、例えば広口容器等において、ねじ係合によって蓋体を開閉するものであっても差し支えない。すなわち、このような容器であっても、蓋体に対する目線の角度を変えれば一定のスキャニメーション等の視覚的な効果が得られるからである。
【０１０８】
ただし、上記化粧料容器内に収容される化粧料は、その上面にスキャニメーション等の視覚的な効果を得るための特定の模様を付与することができるか、あるいはその上に透明保護シートを載置することができるものでなければならないため、一定の固さが必要である。したがって、このような化粧料としては、ファンデーションやフェイスカラー等、粉末タイプの化粧料であるか、容器への充填温度で溶融して流動性を有し冷却によって固化する油性化粧料であることが好適である。
【産業上の利用可能性】
【０１０９】
本発明は、見る角度によって表面模様が変化するように見える、斬新な化粧料容器の提供に利用することができる。
【符号の説明】
【０１１０】
１０  容器本体
１１  蓋体
１５  白色ライン
１６  凹部
１８  化粧料
２１  水玉模様
Ｐ  筋模様
【図１】
2015119943.tif 000003
【図２】
2015119943.tif 000004
【図３】
2015119943.tif 000005
【図４】
2015119943.tif 000006
【図５】
2015119943.tif 000007
【図６】
2015119943.tif 000008
【図７】
2015119943.tif 000009
【図８】
2015119943.tif 000010
【図９】
2015119943.tif 000011
【図１０】
2015119943.tif 000012
【図１１】
2015119943.tif 000013
【図１２】
2015119943.tif 000014
【図１３】
2015119943.tif 000015
【図１４】
2015119943.tif 000016
【図１５】
2015119943.tif 000017
【図１６】
2015119943.tif 000018
【図１７】
2015119943.tif 000019
【図１８】
2015119943.tif 000020
【図１９】
2015119943.tif 000021